(57)【要約】【解決手段】  隣接する手すり部材Ａ，Ｂの対向端部を嵌入固定し得る２つの部材１，２からなり、そのうちの一方が少なくとも半球面状の凸部材1aを、他方が前記凸部材1aを嵌合保持する凹部材2aを有している。前記凹部材2aに前記凸部材1aが嵌合保持された状態で、そのいずれか一方に形成されている孔３を介して連結部材４により両者を連結する。前記孔３はほぼ真円形で大きい。【効果】  一方の部材２に固定されている連結部材４の外周縁に、他方の部材１に形成されているほぼ真円形の孔３の周縁部が内接する範囲内で、２つの部材１，２が相手方の部材に対して大きく首を振ることができる。連続する手すりを設置すべき場所に応じて、連続する手すりのうちの一部のみを大きく折曲させることができる。また、連続する手すりを設置するに当って施工誤差があっても平面から見て一直線となるように、連続する手すりのうちの一部のみを大きく折曲させることができる。【選択図】  図４
2006161282.tif 000002
【特許請求の範囲】
【請求項１】
隣接する手すり部材の対向端部を嵌入固定し得る２つの部材からなり、そのうちの一方が少なくとも半球面状の凸部材を、他方が前記凸部材を嵌合保持する凹部材を有し、前記凹部材に前記凸部材が嵌合保持された状態でそのいずれか一方に形成されている孔を介して連結部材により両者を連結した手すり部材接続具であって、前記孔がほぼ真円形の大きなものであることを特徴とする手すり部材接続具。
【請求項２】
２つの部材のうち少なくとも一方の円筒状筒体における半分以上の円弧状部分が、他の部分に対して着脱自在であることを特徴とする請求項１記載の手すり部材接続具。
【請求項３】
円筒状筒体における半分以上の円弧状部分が、他の部分に対してそれらに保持されている手すり部材の長手方向にスライド自在であることを特徴とする請求項２記載の手すり部材接続具。
【発明の詳細な説明】
【技術分野】
【０００１】
本発明は、階段や廊下などの通路に設置する手すり部材同士を接続して連続する手すりとするための金具の改良に関するものである。
【背景技術】
【０００２】
隣接する２本の手すり部材を接続する接続具として、隣接する手すり部材の対向端部を嵌入固定し得る２つの部材からなり、そのうちの一方が少なくとも半球面状の凸部材を、他方が前記凸部材を嵌合保持する凹部材を有し、前記凹部材に前記凸部材が嵌合保持された状態でそのいずれか一方に形成されている孔を介して連結部材（連結ピン）により両者を連結したものが提案されている（例えば、特許文献１参照）。
【０００３】
【特許文献１】特開２０００−１６０７９７号公報
【発明の開示】
【発明が解決しようとする課題】
【０００４】
この接続具において、凸部材と凹部材のいずれか一方に形成されている孔ｃが、図１３において鎖線で示すように長孔であれば、２つの部材ａ，ｂに嵌入固定されている２本の隣接する手すり部材の長手方向中心線ｄ，ｄ０が一直線となる状態下で、前記長孔に沿って２つの部材ａ，ｂのいずれか一方を他方に対して折曲させることはできるが、左右方向には前記長孔に沿っていずれか一方を他方に対してずらせた後、連結部材（連結ピン）を中心としていずれか一方を他方に対して回さない限り、折曲させることができない。
【０００５】
一方、この孔ｃの横幅が連結部材（連結ピン）ｅの軸径より多少大きければ、２つの部材ａ，ｂのいずれか一方を他方に対して孔ｃの横幅分の範囲で左右方向にも折曲させることはできるであろうが、その場合でも折曲させ得る角度は小さく、それ以上の折曲は不可能である。
ところが、連続する手すりを設置すべき場所によっては、連続する手すりのうちの一部のみを前記の場合よりも大きく折曲しなければならない場合がある。また、連続する手すりを設置するに当って施工誤差があっても平面から見て一直線となるように、前記の場合よりも大きい折曲が可能でなければならない場合もある。
【課題を解決するための手段】
【０００６】
本発明は、これらの要望に応え得る手すり部材接続具を提供することを目的とするものであって、隣接する手すり部材の対向端部を嵌入固定し得る２つの部材からなり、そのうちの一方が少なくとも半球面状の凸部材を、他方が前記凸部材を嵌合保持する凹部材を有し、前記凹部材に前記凸部材が嵌合保持された状態でそのいずれか一方に形成されている孔を介して連結部材により両者を連結した手すり部材接続具であって、前記孔がほぼ真円形の大きなものであることを特徴とするものである。
【０００７】
隣接する手すり部材の対向端部を嵌入固定し得る２つの部材のうち、いずれか一方の部材に他方の部材が嵌合保持された状態でそのいずれか一方に形成されている孔を介して連結部材により両者を連結した場合において、２つの部材が相手方の部材に対して首を振ることができるのは、一方の部材に固定されている連結部材の外周縁に他方の部材に形成されているほぼ真円形の孔の周縁部が内接する範囲内である。そして、この範囲内であれば一方の部材と他方の部材を相互に大きく折曲させることができる。従って、一方の部材に嵌入固定されている手すり部材と他方の部材に嵌入固定されている手すり部材とを相互に大きく折曲させることができる。
【０００８】
例えば、一方の部材２は動かないでこの部材２に対して他方の部材１のみが動く場合を想定して上記動作を説明すると、部材１が最も左側に首を振ることができるのは、連結部材の右側外周縁にほぼ真円形の孔３の周縁部右側部分が内接する状態（図４(a)の二点鎖線3aで示す状態）のときであり、逆に、部材２に対して部材１が最も右側に首を振ることができるのは、連結部材の左側外周縁にほぼ真円形の孔３の周縁部左側部分が内接する状態（図４(a)の二点鎖線3bで示す状態）のときである。
【０００９】
そして、部材２に嵌入固定されている手すり部材Ｂに対して、部材１に嵌入固定されている手すり部材Ａを左右方向に最大限折曲させることができるのは、手すり部材Ｂの長手方向の中心線Ｄに対して手すり部材Ａの長手方向の中心線が図４(a)のＤ１とＤ２の位置であり、この２本の線Ｄ１，Ｄ２より内側の範囲内であれば、手すり部材Ｂに対して手すり部材Ａを自由に折曲させることができる。従って、連続する手すりを設置すべき場所に応じて、連続する手すりのうちの一部のみを大きく折曲させることができる。また、連続する手すりを設置するに当って施工誤差があっても平面から見て一直線となるように、連続する手すりのうちの一部のみを大きく折曲させることができる。
なお、図４(b)には、動かない部材２に対して部材１を図４(a)の状態から左方向に折曲させた場合の一例を、また、図４(c)には、動かない部材２に対して部材１を図４(a)の状態から右方向に折曲させた場合の一例を示す。
【００１０】
そして、図５には、部材２は動かないでこの部材２に対して他方の部材１のみが動く場合を想定した場合の上記動作を示す。図５(a)には、部材２に嵌入固定されている手すり部材に対して、部材１に嵌入固定されている手すり部材Ａを左方向に最大限折曲させた場合が、また、図５(b)には、部材２に嵌入固定されている手すり部材に対して、部材１に嵌入固定されている手すり部材Ａを右方向に最大限折曲させた場合が示されている。
【００１１】
逆に、図６、図７には、部材１は動かないでこの部材１に対して他方の部材２のみが動く場合を想定した場合の上記動作を示す。そして、図６(a)には、部材１に嵌入固定されている手すり部材Ａに対して、部材２に嵌入固定されている手すり部材Ｂを水平状態で右方向に最大限折曲させた場合が、また、図６(b)には、部材１に嵌入固定されている手すり部材Ａに対して、部材２に嵌入固定されている手すり部材Ｂを水平状態で左方向に最大限折曲させた場合が示されている。
【００１２】
また、図７(a)には、部材１に嵌入固定されている手すり部材Ａに対して、部材２に嵌入固定されている手すり部材Ｂを斜め右上方に最大限折曲させた場合が、また、図７(b)には、部材１に嵌入固定されている手すり部材Ａに対して、部材２に嵌入固定されている手すり部材Ｂを斜め左上方に最大限折曲させた場合が示されている。
【００１３】
また、図８には、部材２は動かさないで図２の状態から一方の部材１の首を上側に振った状態を、さらに、図９には、図８の状態から一方の部材１の首をさらに上側に振った状態を示す。
以上、例を挙げて説明したように、一方の部材１に嵌入固定されている手すり部材Ａと他方の部材２に嵌入固定されている手すり部材Ｂとを相互に大きく折曲させることができる。
【００１４】
２つの部材のうち少なくとも一方の円筒状筒体における半分以上の円弧状部分が、他の部分に対して着脱自在であることが望ましい。このようになっていると、円筒状筒体における半分以上の円弧状部分を他の部分から取り外せばその部分が欠如した状態となり、その部分から手すり部材を外方向に取り外すことができる。従って、１本の手すり部材の両端接続部分でこれと同じ操作を行うことにより、連続する手すりのうち他の部分はそのままにしたままで一部分である手すり部材のみの取り外しが可能になる。
【００１５】
２つの部材のうち少なくとも一方の円筒状筒体における半分以上の円弧状部分が、他の部分に対してそれらに保持されている手すり部材の長手方向にスライド自在であることが望ましい。このようになっていると、円筒状筒体における半分以上の円弧状部分を他の部分に対してスライドさせることができ、スライド後にそれを取り外せばその部分が欠如した状態となるから、その部分から手すり部材を外方向に取り外すことができる。従って、１本の手すり部材の両端接続部分でこれと同じ操作を行うことにより、連続する手すりのうち他の部分はそのままにしたままで一部分である手すり部材のみの取り外しが可能になる。
【発明の効果】
【００１６】
請求項１記載の発明によれば、連続する手すりを設置すべき場所に応じて、連続する手すりのうちの一部のみを大きく折曲させることができる。また、連続する手すりを設置するに当って施工誤差があっても平面から見て一直線となるように、連続する手すりのうちの一部のみを大きく折曲させることができる。
【００１７】
請求項２記載の発明によれば、連続する手すりのうち他の部分はそのままにしたままで一部分である手すり部材のみの取り外しが可能になる。
【００１８】
請求項３記載の発明によれば、円筒状筒体の半円筒以上である部分を他の部分に対してスライドさせることができるから、スライド後にそれを取り外せば連続する手すりのうち他の部分はそのままにしたままで一部分である手すり部材のみの取り外しが可能になる。
【発明を実施するための最良の形態】
【００１９】
本発明の最も好ましい実施の形態を、図１〜図１２に基いて詳細に説明する。ここに例示する手すり部材接続具の基本構成は、隣接する２本の手すり部材Ａ，Ｂの対向端部を嵌入固定し得る２つの部材１，２からなり、そのうちの一方の部材１が少なくとも半球面状の凸部材1aを、他方の部材２が前記凸部材1aを嵌合保持する凹部材2aを有し、前記凹部材2aに前記凸部材1aが嵌合保持された状態で、一方の部材１に形成されている孔３を介して、他方の部材２に形成されているネジ孔2bにネジである連結部材４をねじ込むことにより、２つの部材１，２を連結したものである。
【００２０】
部材１における前記凸部材1aと反対側の端部には円筒状筒体1dが、また、部材２における前記凹部材2aと反対側の端部には円筒状筒体2cがそれぞれ設けられており、両円筒状筒体1d，2cに隣接する２本の手すり部材Ａ，Ｂの対向端部をそれぞれ嵌入する。そして、両円筒状筒体1d，2cに形成されている孔（図示しない）から固定ネジ５をそれぞれ差し込むことにより、図１の外観図に示すように、本接続具を介して両手すり部材Ａ，Ｂを連続した状態に固定することができる。なお、図１には、２本の手すり部材ＡとＢのうち、手すり部材Ａは垂直状態に、手すり部材Ｂは水平状態にある場合を示す。
【００２１】
２つの部材１，２は種々の素材で作ることができる。図２に、２つの部材１，２が亜鉛ダイカスト製の手すり部材接続具の一例を示す。この場合には、図３(a)に示す亜鉛ダイカスト製の部材１と図３(c)に示す亜鉛ダイカスト製の部材２以外に、図３(d)に示す合成樹脂製の保持部材６と図３(e)に示す合成樹脂製の受け部材７とを用い、それらを組み合わせることにより構成することができる。なお、この場合、２つの部材１，２は焼付塗装されている。
【００２２】
亜鉛ダイカスト製の部材１は中空状であって、上述したように少なくとも半球面状の凸部材1aを有しており、その凸面部分には中心線に対して１５°程度手前に傾く軸芯上に中心を置く孔３がほぼ真円状に形成されている。また、亜鉛ダイカスト製の部材２は中空状の筒体であって、上述したように前記凸部材1aを嵌合保持する凹部材2aを有しているが、ここでは部材２とこの中に嵌め込むことのできる合成樹脂製の保持部材６とを組み合わせることにより、部材２に凹部材2aが形成されるようにしてある。
【００２３】
すなわち、中空状の部材２の先側を外突弧状に湾曲させ、その先端部を斜め方向に切除してその部分に正面から見ると楕円形となる開口部2d（図３(c)参照）を有するものとし、この中空部内に基端側である円筒状筒体2c側から凹状の半球面6aを備えた保持部材６を嵌め込むことにより、前記開口部2dの奥に凹部材2aが位置するようにしてある。
なお、図３(c)に示すように、部材２の内周面には長手方向に沿う突起2eが、また、図３(d)に示すように、保持部材６の内周面には前記突起2eを嵌入させ得る溝6bが長手方向に沿って形成されているから、部材２の中空部内に保持部材６を嵌め込むと、前記溝6bに前記突起2eが嵌入して部材２内に保持部材６が固定され、両者を一体化することができる。
【００２４】
そして、前記開口部2d側から部材１の半球面状の凸部材1aを部材２の凹状の半球面6aに嵌合させると、この凸部材1aが凹部材2aとなる凹状の半球面6aに当接する。
部材１の凸部材1aと凹部材2aとなる凹状の半球面6aとが絶えず当接状態を維持するようにするために、ここでは部材１の凸部材1aの内側にこれに沿うように合成樹脂製の受け部材７を嵌め込み、この状態で部材１に形成されている孔３を介して、受け部材７側から他方の部材２に形成されているネジ孔2bにネジである連結部材４をねじ込むことにより、１本の連結部材４を用いて受け部材７、部材１、保持部材６、部材２を一体化してある。なお、図３(e)における図面符号7aは、連結部材４を挿通するための孔で、受け部材７の中心位置に設けられている。
【００２５】
かくして、隣接する手すり部材Ａ，Ｂの対向端部を嵌入固定し得る２つの部材１，２のうち、部材２の凹部材2aに部材１の凸部材1aが嵌合保持された状態で、部材１に形成されている孔３を介して連結部材４により２つの部材１，２が連結される。そして、部材２に固定されている連結部材４の外周縁に部材１に形成されているほぼ真円形の孔３の周縁部が内接する範囲内において、２つの部材１，２が相手方の部材に対して大きく首を振ることができるが、それらの詳しい説明はすでに述べたのでここでは省略する。
【００２６】
例えば、図５(a)に示すように、部材２に嵌入固定されている手すり部材に対して、部材１に嵌入固定されている手すり部材Ａを左方向に最大限折曲させることができる。また、図５(b)に示すように、部材２に嵌入固定されている手すり部材に対して、部材１に嵌入固定されている手すり部材Ａを右方向に最大限折曲させることができる。
逆に、図６(a)に示すように、部材１に嵌入固定されている手すり部材Ａに対して、部材２に嵌入固定されている手すり部材Ｂを水平状態で右方向に最大限折曲させることができる。また、図６(b)に示すように、部材１に嵌入固定されている手すり部材Ａに対して、部材２に嵌入固定されている手すり部材Ｂを水平状態で左方向に最大限折曲させることができる。
【００２７】
また、図７(a)に示すように、部材１に嵌入固定されている手すり部材Ａに対して、部材２に嵌入固定されている手すり部材Ｂを斜め右上方に最大限折曲させることができる。また、図７(b)に示すように、部材１に嵌入固定されている手すり部材Ａに対して、部材２に嵌入固定されている手すり部材Ｂを斜め左上方に最大限折曲させることができる。
さらに、図８に示すように、部材２は動かさないで図２の状態から一方の部材１の首を上側に振ることができる。また、図９に示すように、図８の状態から一方の部材１の首をさらに上側に振ることができる。
従って、連続する手すりを設置すべき場所に応じて、連続する手すりのうちの一部のみを大きく折曲させることができる。また、連続する手すりを設置するに当って施工誤差があっても平面から見て一直線となるように、連続する手すりのうちの一部のみを大きく折曲させることができる。
【００２８】
ここには、部材１の円筒状筒体1dにおける半分以上の円弧状部分が、他の部分に対して着脱自在、特に、それらに保持されている手すり部材Ａの長手方向にスライド自在とした場合が例示されている。例えば、図１に示すように、部材１の円筒状筒体1dにおける半分以上の円弧状部分を切り欠き、この切欠部分1bにそれと同じ円弧状のカバー８をスライドさせて装着したり、逆に、スライドさせてそれを取り外すことができるようにしてある。
このカバー８をスライドさせて取り外せばその部分が欠如した状態となるから、その部分から手すり部材Ａを図１の右側方向に取り外すことができる。従って、１本の手すり部材Ａの両端接続部分でこれと同じ操作を行うことにより、連続する手すりのうち他の部分はそのままにしたままで一部分である手すり部材Ａのみの取り外しが可能になる。
【００２９】
ここに、着脱自在とは、上述したスライド形式による着脱の場合のみならず、例えば、部材１の円筒状筒体1d及び手すり部材Ａの外周方向からカバー８を装着したり、部材１の円筒状筒体1d及び手すり部材Ａの外周方向にカバー８を移動させて取り外す場合を含む。この場合でも、部材１の円筒状筒体1d及び手すり部材Ａの外周方向にカバー８を移動させて取り外せばその部分が欠如した状態となるから、その部分から手すり部材Ａを図１の右側方向に取り外すことができる。従って、１本の手すり部材Ａの両端接続部分でこれと同じ操作を行うことにより、連続する手すりのうち他の部分はそのままにしたままで一部分である手すり部材Ａのみの取り外しが可能になる。
【００３０】
なお、部材１の円筒状筒体1dにおける半分以上の円弧状部分に相当するカバー８を、他の部分に対してスライド可能とするために、ここでは、図１２に示すように、円筒状筒体1dにおける他の部分（図１において、1cで示す部分）に凸条1fを、カバー８にこの突条1fが嵌まる凹溝8aを形成した場合が例示され、前記突条1fと凹溝8aの嵌合によりカバー８のスライド、装着ならびに取り外しを可能ならしめ得るようにしてある。
【００３１】
カバー８の奥端面（図３(b)の向う側における端面）には、切欠8bが形成されている（図１参照）。カバー８を他の部分から取り外す際、ドライバーその他先の尖ったものをこの切欠8bに差し込んでこじるだけで、カバー８の取り外しを簡単に行うことができる。
【００３２】
一方、図１０には、２つの部材１，２及び受け部材７が亜鉛ダイカスト製であって部材２に凹部材2aが直接形成されている手すり部材接続具の一例を示す。この場合には、部材２の中に嵌め込むことのできる合成樹脂製の保持部材６を用いない点で、また、受け部材７を合成樹脂製としないで亜鉛ダイカスト製とし、それをクロメート処理している点で、上述した場合と異なっている。そして、凹部材2aが形成されている部材２の弧状の壁に、連結部材４をねじ込むためのネジ孔2fが形成されている。また、亜鉛ダイカスト製の部材２の凹部材2aに亜鉛ダイカスト製の部材１の凸部材1aが嵌合保持されたとき、両者の友摺りを防止するためのパッキン９が両者間に配置されている。
なお、パッキン９はカップ状で合成樹脂製とすることができ、接着剤を用いて亜鉛ダイカスト製の部材２の凹部材2a内面に貼り付けておくとよい。
【００３３】
また、図１１には、２つの部材１，２が木製であって部材２に凹部材2aが直接形成されている手すり部材接続具の一例を示す。この場合にも、部材２の中に嵌め込むことのできる合成樹脂製の保持部材６は用いられない。そして、木製の部材２の凹部材2aの奥に鬼目ナット１０をねじ込み、その筒ネジ部10aに連結部材４をねじ込み得るようにしてある。
【００３４】
２つの部材１，２の円筒状筒体1d，2cの内周面の奥には、係合段部1e，2gがそれぞれ形成されており、隣接する２本の手すり部材Ａ，Ｂの対向端部を円筒状筒体1d，2cに嵌入してその端面を係合段部1e，2gに当てれば、手すり部材Ａと部材１との相対位置及び手すり部材Ｂと部材２との相対位置が自動的に定まるので、手すりの組立を行いやすい。
なお、部材２内の中空部内に保持部材６を嵌め込む形式のものでは、図２に示すように部材２の円筒状筒体2cの内周面の奥に係合段部を形成しないで、それに嵌め込んだ保持部材６の端面（図２の右側の面）を前記係合段部2gとして利用し、その端面に手すり部材Ｂの端面を当ててそれを受けることができるようにしている。
【図面の簡単な説明】
【００３５】
【図１】本発明による手すり部材接続具の一例を示す外観図である。
【図２】本発明による手すり部材接続具を側面方向から見た断面図である。
【図３】図２に示す手すり部材接続具の主要構成部品の概略図である。
【図４】本発明による手すり部材接続具の構造及び動作を説明するための原理図で、(a)は、動かない一方の部材と他方の部材の長手方向の中心線を一致させた状態を、(b)は、動かない一方の部材に対して他方の部材を(a)の状態から左方向に折曲させた場合の一例を、また、(c)は、動かない一方の部材に対して他方の部材を(a)の状態から右方向に折曲させた場合の一例を示す。
【図５】一方の部材は動かないでこの部材に対して他方の部材のみが動く場合を想定した場合の動作を示す斜視図で、(a)は、一方の部材に嵌入固定されている手すり部材に対して、他方の部材に嵌入固定されている手すり部材を左方向に最大限折曲させた場合を、(b)は、一方の部材に嵌入固定されている手すり部材に対して、他方の部材に嵌入固定されている手すり部材を右方向に最大限折曲させた場合を示す。
【図６】一方の部材は動かないでこの部材に対して他方の部材のみが動く場合を想定した場合の動作を示す斜視図で、(a)は、一方の部材に嵌入固定されている手すり部材に対して、他方の部材に嵌入固定されている手すり部材を水平状態で右方向に最大限折曲させた場合を、また、(b)は、一方の部材に嵌入固定されている手すり部材に対して、他方の部材に嵌入固定されている手すり部材を水平状態で左方向に最大限折曲させた場合を示す。
【図７】一方の部材は動かないでこの部材に対して他方の部材のみが動く場合を想定した場合の動作を示す斜視図で、(a)は、一方の部材に嵌入固定されている手すり部材に対して、他方の部材に嵌入固定されている手すり部材を斜め右上方に最大限折曲させた場合を、また、(b)は、一方の部材に嵌入固定されている手すり部材に対して、他方の部材に嵌入固定されている手すり部材を斜め左上方に最大限折曲させた場合を示す。
【図８】図２の状態から一方の部材の首を上側に振った状態を示す断面図である。
【図９】図８の状態から一方の部材の首をさらに上側に振った状態を示す断面図である。
【図１０】図２に示す手すり部材接続具と構造が一部異なる別の手すり部材接続具の一例を示す断面図である。
【図１１】図２、図１０に示す手すり部材接続具と構造、材質が異なるさらに別の手すり部材接続具の一例を示す断面図である。
【図１２】一方の部材の円筒状筒体における半分以上の円弧状部分を切り欠いた部分に装着させ得るカバーを、スライド可能とするための一例を示す概略図である。
【図１３】従来の手すり部材接続具の一例を示す断面図である。
【符号の説明】
【００３６】
１…部材、1a…凸部材、1d…円筒状筒体、２…部材、2a…凹部材、2b…ネジ孔、2c…円筒状筒体、2f…ネジ孔、３…孔、４…連結部材、６…保持部材、6a…凹状の半球面、７…受け部材、８…カバー、１０…鬼目ナット、10a…筒ネジ部、Ａ，Ｂ…手すり部材。
【図１】
2006161282.tif 000003
【図２】
2006161282.tif 000004
【図３】
2006161282.tif 000005
【図４】
2006161282.tif 000006
【図５】
2006161282.tif 000007
【図６】
2006161282.tif 000008
【図７】
2006161282.tif 000009
【図８】
2006161282.tif 000010
【図９】
2006161282.tif 000011
【図１０】
2006161282.tif 000012
【図１１】
2006161282.tif 000013
【図１２】
2006161282.tif 000014
【図１３】
2006161282.tif 000015